(57)【要約】  本発明の目的は、下方に広がる歯根部を有する模型歯を支持でき且つ実習訓練の質を向上できる歯科模型用部品及びその部品を備えるキット及び歯科模型を提供することである。  模型歯と、この模型歯を支持する支持部材４０と、を備える歯科模型において、模型歯の少なくとも一つである臼歯２１は、歯冠部２１１と、頬舌断面において歯頚部２１３ａ，２１３ｂから下方に広がる歯根部２１５ａ，２１５ｂとを有する。支持部材４０は、歯根部２１５ａ，２１５ｂが挿入可能な大きさの挿入穴部４１１を有する支持台４１と、歯頚部２１３ａと挿入穴部４１１との隙間を埋める介在部材４３と、を有する。
2012002487.tif 000002
【特許請求の範囲】
【請求項１】
模型歯と、この模型歯を支持する支持部材と、を備える歯科模型であって、
前記模型歯の少なくとも一つは、歯冠部と、頬舌断面において歯頚部から下方に広がる歯根部と、を有し、
前記支持部材は、前記歯根部が挿入可能な大きさの挿入穴部を有する支持台と、前記歯頚部と前記挿入穴部との隙間を埋める介在部材と、を有する歯科模型。
【請求項２】
前記挿入穴部は、頬舌断面において、頬側又は舌側の一方の面が前記歯頚部から前記歯根部の少なくとも一部に沿い、他方の面が前記一方の面と平行又はそれよりも外方に傾斜する形状を有する請求項１記載の歯科模型。
【請求項３】
前記支持部材は、前記介在部材と前記支持台とを固定する固定部材を更に有する請求項１又は２記載の歯科模型。
【請求項４】
前記介在部材は、前記挿入穴部の底面まで延びる請求項１から３いずれか記載の歯科模型。
【請求項５】
前記介在部材は、前記歯頚部から前記歯根部の少なくとも一部に沿う請求項４記載の歯科模型。
【請求項６】
前記介在部材は、頬舌断面に角度をなす面で分割可能な２以上の分割部材からなる請求項１記載の歯科模型。
【請求項７】
前記介在部材は、弾性素材で構成され、前記歯頚部及び前記挿入穴部により弾性収縮された状態で前記隙間を埋める請求項１から６いずれか記載の歯科模型。
【請求項８】
模型歯を支持する支持部材の部品として用いられる支持台であって、
頬舌断面において、頬側又は舌側の一方の面が内方へと傾斜し、他方の面が前記一方の面と平行又はそれよりも外方に傾斜する挿入穴部を有する支持台。
【請求項９】
歯科模型に用いられるキットであって、
歯冠部と、頬舌断面において歯頚部から下方に広がる歯根部と、を有する少なくとも一つの模型歯と、
前記歯頚部の一部又は全部に当接する介在部材と、を備えるキット。
【請求項１０】
前記介在部材は、頬舌断面において、前記歯頚部のうち、頬側又は舌側の一方側を包囲し且つ他方側を露出させる請求項９記載のキット。
【請求項１１】
前記介在部材は、前記一方側の前記歯頚部から前記歯根部の少なくとも一部を包囲する請求項１０記載のキット。
【請求項１２】
前記介在部材は、頬舌断面に角度をなす面で分割可能な２以上の分割部材からなる請求項９記載のキット。
【請求項１３】
前記介在部材は、弾性素材で構成されている請求項９から１２いずれか記載のキット。
【発明の詳細な説明】
【技術分野】
【０００１】
本発明は、歯科模型及びその部品に関する。
【背景技術】
【０００２】
従来、主に歯科治療のための実習訓練に、歯牙の形状を模して造形された模型歯と、これら模型歯を支持する支持部材とを備える歯科模型が使用されている。模型歯は、歯頚部から下方に広がる歯根部を有するもの（典型的には臼歯）と、歯頚部から下方に広がる歯根部を有するもの（典型的には前歯）とに分類され、また様々な形状を有する。【０００３】
図６は、従来例に係る歯科模型の頬舌断面図である。図６に示されるように、歯頚部８１０から下方に広がる歯根部８３０を有する模型歯の場合、歯根部８３０が支持部材８５０に挿入できるように、歯根部８３０の先端部分の幅を基準にして、ソケット８４０の穴が形成される。このため、歯頚部８１０とソケット８４０との間に本来不要な隙間Ｇが生じ、実習訓練の質を低下させ得る（特許文献１参照）。
【先行技術文献】
【特許文献】
【０００４】
【特許文献１】米国２００８／０２５４４２２号公報
【発明の概要】
【発明が解決しようとする課題】
【０００５】
本発明は、以上の実情に鑑みてなされたものであり、下方に広がる歯根部を有する模型歯を支持でき且つ実習訓練の質を向上できる歯科模型用部品及びその部品を備えるキット及び歯科模型を提供することを目的とする。
【課題を解決するための手段】
【０００６】
本発明者らは、支持台とは別の介在部材を用いることで、下方に広がる歯根部を有する模型歯を支持した際に生じる歯頚部と支持台との隙間が埋められることを見出し、本発明を完成するに至った。具体的に、本発明は以下のものを提供する。【０００７】
（１）  模型歯と、この模型歯を支持する支持部材と、を備える歯科模型であって、
前記模型歯の少なくとも一つは、歯冠部と、頬舌断面において歯頚部から下方に広がる歯根部と、を有し、
前記支持部材は、前記歯根部が挿入可能な大きさの挿入穴部を有する支持台と、前記歯頚部と前記挿入穴部との隙間を埋める介在部材と、を有する歯科模型。【０００８】
（２）  前記挿入穴部は、頬舌断面において、頬側又は舌側の一方の面が前記歯頚部から前記歯根部の少なくとも一部に沿い、他方の面が前記一方の面と平行又はそれよりも外方に傾斜する形状を有する（１）記載の歯科模型。【０００９】
（３）  前記支持部材は、前記介在部材と前記支持台とを固定する固定部材を更に有する（１）又は（２）記載の歯科模型。【００１０】
（４）  前記介在部材は、前記挿入穴部の底面まで延びる（１）から（３）いずれか記載の歯科模型。【００１１】
（５）  前記介在部材は、前記歯頚部から前記歯根部の少なくとも一部に沿う（４）記載の歯科模型。【００１２】
（６）  前記介在部材は、頬舌断面に角度をなす面で分割可能な２以上の分割部材からなる（１）記載の歯科模型。【００１３】
（７）  前記介在部材は、弾性素材で構成され、前記歯頚部及び前記挿入穴部により弾性収縮された状態で前記隙間を埋める（１）から（６）いずれか記載の歯科模型。【００１４】
（８）  模型歯を支持する支持部材の部品として用いられる支持台であって、
頬舌断面において、頬側又は舌側の一方の面が内方へと傾斜し、他方の面が前記一方の面と平行又はそれよりも外方に傾斜する挿入穴部を有する支持台。【００１５】
（９）  歯科模型に用いられるキットであって、
歯冠部と、頬舌断面において歯頚部から下方に広がる歯根部と、を有する少なくとも一つの模型歯と、
前記歯頚部の一部又は全部に当接する介在部材と、を備えるキット。【００１６】
（１０）  前記介在部材は、頬舌断面において、前記歯頚部のうち、頬側又は舌側の一方側を包囲し且つ他方側を露出させる（９）記載のキット。【００１７】
（１１）  前記介在部材は、前記一方側の前記歯頚部から前記歯根部の少なくとも一部を包囲する（１０）記載のキット。【００１８】
（１２）  前記介在部材は、頬舌断面に角度をなす面で分割可能な２以上の分割部材からなる（９）記載のキット。【００１９】
（１３）  前記介在部材は、弾性素材で構成されている（９）から（１２）いずれか記載のキット。
【発明の効果】
【００２０】
本発明によれば、下方に広がる歯根部を有する模型歯を支持した際に生じる歯頚部と挿入穴部との隙間が、介在部材によって埋められる。これにより、下方に広がる歯根部を有する模型歯を支持でき且つ実習訓練の質を向上できる。
【図面の簡単な説明】
【００２１】
【図１】本発明の第１実施形態に係る歯科模型の全体斜視図である。
【図２】図１のＩＩ−ＩＩ線断面図である。
【図３】図２の歯科模型の使用方法を示す図である。
【図４】本発明の一変形例に係る歯科模型の断面図である。
【図５】本発明の第２実施形態に係る歯科模型の断面図である。
【図６】従来例に係る歯科模型の断面図である。
【発明を実施するための形態】
【００２２】
以下、本発明の一実施形態について図面を参照しながら説明するが、この実施形態に本発明が限定されるものではない。
【００２３】
図１は、本発明の第１実施形態に係る歯科模型１０の全体斜視図であり、図２は図１のＩＩ−ＩＩ線断面図である。歯科模型１０は、実際の歯牙の形状に近似した形状を有する模型歯２０と、この模型歯２０を支持する支持部材４０とを備え、本実施形態における支持部材４０はトレイ３０に保持されている。
【００２４】
模型歯２０は、本実施形態では、前歯２３及び臼歯２１から構成される。各々の模型歯２０は歯冠部及び歯根部からなり、その形状において前歯２３及び臼歯２１は典型的に異なる。即ち、臼歯２１は、図２に示されるように、歯頚部２１３ａ，２１３ｂを境にして、上方に広がる歯冠部２１１と、下方に広がる歯根部２１５ａ，２１５ｂとを有する一方、前歯２３は、歯根部が歯頚部から下方に狭まる構造を有する。本発明に係る歯科模型は、少なくとも臼歯２１と同様の構造を有する模型歯と、その模型歯を支持する支持部材とを備えていればよい。なお、図１のＩＩ−ＩＩ線断面は、顎と舌とを結ぶ方向（頬舌方向）に関する線と、模型歯２０の歯軸に略平行な線とを含む面（頬舌断面）を指す。
【００２５】
図３は、図２の歯科模型の使用方法を示す図である。支持部材４０は、模型歯２０の歯根部が挿入される挿入穴部４１１を有する支持台４１を備える。ここで、挿入穴部４１１は、臼歯２１の歯根部２１５ａ，２１５ｂが挿入可能な大きさを有するため、歯根部２１５ａ，２１５ｂよりも幅が狭い歯頚部２１３ａ，２１３ｂとの間に隙間を生じる。しかし、支持部材４０は、歯頚部２１３ａと挿入穴部４１１との隙間を埋める介在部材４３を備えるため、実習訓練の質を向上できる。
【００２６】
本実施形態の挿入穴部４１１は、頬舌断面において、舌側面４１７が歯頚部２１３ｂから歯根部２１５ｂの少なくとも一部に沿い、頬側面４１６が舌側面４１７と平行又はそれよりも外方（本実施形態では略平行）に傾斜する。このため、臼歯２１の歯根部を挿入穴部４１１に挿入し、舌側の歯頚部２１３ｂから歯根部２１５ｂの少なくとも一部を舌側面４１７に当接させると、頬側の歯頚部２１３ａと頬側面４１６との間に隙間が生じ、この隙間が介在部材４３によって埋められている。なお、これに限られず、挿入穴部４１１の頬側面が歯頚部から歯根部の少なくとも一部に沿い、舌側面が歯頚部から離間してもよい。
【００２７】
本実施形態の介在部材４３は、歯頚部２１３ａと頬側面４１６との間を埋める架橋部４３１の他に、頬側面４１６に沿う形状の側壁４３７、及び挿入穴部４１１の底面４１８まで延びる延出部４３３を有する。側壁４３７が頬側面４１６に、延出部４３３が挿入穴部４１１の底面４１８に沿うことで、挿入穴部４１１内の臼歯２１の姿勢が安定する。本実施形態は、介在部材４３を頬舌断面における歯根部の両側に設ける必要がないので、介在部材４３が一体成形が可能であり、製造コストの削減、使用時の組み立て及び分解の煩雑さの回避の観点で好ましい。
【００２８】
ただし、本発明は、上記実施形態に限られるものではない。図５は、本発明の第２実施形態に係る歯科模型の断面図である。本実施形態における介在部材は、頬舌断面に角度をなす分割面４３６で分割可能な２以上の分割部材４３ａ，４３ｂからなる。分割部材４３ａ，４３ｂの各々を独立して歯頚部２１３ａ，２１３ｂの周囲に配置可能であるため、歯頚部２１３ａ，２１３ｂと挿入穴部４１１との隙間を埋めることができる。また、かかる態様では、第１実施形態のように挿入穴部を特徴的な形状にしなくてもよいため、従来の支持台４１Ｂを使用することもできる。なお、分割面４３６は、分割部材４３ａ，４３ｂの各々が歯頚部２１３ａ，２１３ｂと挿入穴部４１１との隙間を埋める（つまり、図５において左右に分割される）ように形成されなければならず、隙間を埋めない（例えば、図５において上下に分割される）ように形成されてはならない。
【００２９】
図２に戻って、介在部材４３は、歯頚部２１３ａから歯根部２１５ａの少なくとも一部に沿うことが好ましい。これにより、挿入穴部４１１内の歯根部２１５ａ，２１５ｂの姿勢がより安定化する。介在部材４３が沿う範囲は、特に限定されないが、歯根部２１５ａ，２１５ｂの姿勢をより安定化させる観点で、歯頚部２１３ａから、歯根部２１５ａのうち最も外方に膨出する部分（図２中、点線で囲んだ部分）よりも下方までに亘ることが好ましい。
【００３０】
また、本実施形態の介在部材４３は、歯根部２１５ａと歯根部２１５ｂの一部とを包囲する包囲穴部４３８を有する。これにより、挿入穴部４１１内の歯根部２１５ａ，２１５ｂが位置決めされ、より安定な姿勢を保持することができる。
【００３１】
なお、本発明において延出部や包囲穴部は必須ではなく、例えば、図４に示す変形例の介在部材４３Ａのように、少なくとも架橋部４３１を備えていればよい。ただし、かかる態様では、後述の固定部材５０が歯根部２１５ａ，２１５ｂの側方に位置せざるを得ず、この場合、実習訓練における歯根部２１５ａ，２１５ｂへのＸ線照射試験等において固定部材５０が障害になり得る。
【００３２】
介在部材４３の素材は、特に限定されず、歯科模型における歯肉として使用される公知のものであってよい。ただし、介在部材４３は弾性素材で構成され、歯頚部２１３ａ及び挿入穴部４１１により弾性収縮された状態で、歯頚部２１３ａと頬側面４１６との隙間を埋めることが好ましい。これにより、挿入穴部４１１内の臼歯２１の姿勢をより安定化することができる。なお、弾性素材は、弾性変形可能なものであれば特に限定されず、シリコンゴム等の従来公知のものであってよい。また、介在部材４３が弾性収縮された状態で隙間を埋めるためには、自然状態における介在部材４３の寸法を隙間より適宜大きくすればよい。
【００３３】
なお、歯頚部２１３ａ，２１３ｂの周囲の歯肉を構成する部分は、支持台４１の歯肉部４１３と、架橋部４３１とで構成されるため、触感等の臨場感を向上する観点では、架橋部４３１を歯肉部４１３と同様の素材で構成することも好ましい。
【００３４】
歯根部２１５ａのうち最も外方に膨出する部分（図２中、点線で囲んだ部分）は、歯頚部２１３ａ，２１３ｂよりも、水平方向に関し幅Ｗ１，Ｗ２だけ外方に膨出する。これにより、臼歯２１は、真上に力が負荷されても、歯根部２１５ａ，２１５ｂの一方（本実施形態では歯根部２１５ｂ）が頬側面４１６又は舌側面４１７（本実施形態では舌側面４１７）に係止され、挿入穴部４１１から容易には抜けにくい。
【００３５】
ただし、歯根部２１５ａ，２１５ｂが挿入穴部４１１から抜けるのをより確実に防止する観点で、支持部材４０は、介在部材４３と支持台４１とを固定する固定部材５０を更に有することが好ましい。
【００３６】
具体的に、固定部材５０は、延出部４３３に設けられた挿通穴４３５と、この挿通穴４３５に対応する位置において底面４１８に設けられて、底面４１８から外部へと貫通する貫通孔４１５とに挿入され、これにより、介在部材４３と支持台４１とを固定する。前述の図４に示す変形例と異なり、固定部材５０が歯根部２１５ａ，２１５ｂの下方に位置するため、実習訓練の障害になりにくい点で好ましい。なお、固定の方式は、容易に離脱可能である限りにおいて特に限定されず、ボルト−ナット固定等の従来周知のものであってよい。
【００３７】
以上の歯科模型１０の使用方法の一例について、図３を参照しながら説明する。まず、歯根部２１５ａを包囲穴部４３８に挿入して、臼歯２１及び介在部材４３を組み合わせる（Ａ〜Ｂ）。次に、この組み合わせ体を、歯根部２１５ｂが舌側面４１７に沿うように傾斜させ、この状態で、臼歯２１が所望の位置に設置されるまで挿入穴部４１１へと挿入していく（Ｃ）。このとき、舌側面４１７が歯根部２１５ｂに沿い、頬側面４１６が舌側面４１７と平行又はそれよりも外方に傾斜しているため、組み立わせ体を舌側面４１７に沿った方向で挿入することができる。その後、固定部材５０を貫通孔４１５及び挿通穴４３５に設置し、支持台４１と介在部材４３とを固定することで、実習訓練用の歯科模型１０が組み立てられる。なお、本実施形態では、臼歯２１及び介在部材４３を組み合わせた後に、挿入穴部４１１へと挿入しているが、これに限られず、模型歯を挿入穴部へと挿入した後に、介在部材を歯頚部と挿入穴部との隙間に挿入し、隙間を埋めてもよい。
【００３８】
本発明は、模型歯２０を支持する支持部材４０の部品として用いられる支持台４１も提供する。かかる支持台４１は、頬舌断面において、頬側又は舌側の一方の面（図２及び４では、舌側面４１７）が内方へと傾斜し、他方の面（本実施形態では、頬側面４１６）が一方の面と平行又はそれよりも外方に傾斜する挿入穴部４１１を有する。
【００３９】
また、本発明は、歯科模型に用いられるキットも提供する。かかるキットは、歯冠部２１１と、頬舌断面において歯頚部２１３ａ，２１３ｂから下方に広がる歯根部２１５ａ，２１５ｂと、を有する少なくとも一つの模型歯である臼歯２１と、歯頚部２１３ａ，２１３ｂの一部又は全部に当接する介在部材と、を備える。好ましい態様における介在部材４３は、頬舌断面において、歯頚部２１３ａ，２１３ｂのうち、頬側又は舌側の一方側（本実施形態では歯頚部２１３ａ）を包囲し且つ他方側（本実施形態では歯頚部２１３ｂ）を露出させる。ただし、介在部材は、頬舌断面に角度をなす分割面４３６で分割可能な２以上の分割部材４３ａ，４３ｂからなってもよい。このキットにおいて、介在部材４３は、一方側の歯頚部（本実施形態では歯頚部２１３ａ）から歯根部２１５ａの少なくとも一部を包囲することが好ましい。また、介在部材４３は、弾性素材で構成されていることが好ましい。
【００４０】
本発明は前記実施形態に限定されるものではなく、本発明の目的を達成できる範囲での変形、改良等は本発明に含まれるものである。
【符号の説明】
【００４１】
１０  歯科模型
２０  模型歯
２１  臼歯
２１１  歯冠部
２１３  歯頚部
２１５  歯根部
２３  前歯
３０  トレイ
４０  支持部材
４１  支持台
４１１  挿入穴部
４１３  歯肉部
４１５  貫通孔
４１６  頬側面
４１７  舌側面
４１８  底面
４３  介在部材
４３ａ，４３ｂ  分割部材
４３１  架橋部
４３３  延出部
４３５  挿通穴
４３６  分割面
４３７  側壁
４３８  包囲穴部
５０  固定部材
【図１】
2012002487.tif 000003
【図２】
2012002487.tif 000004
【図３】
2012002487.tif 000005
【図４】
2012002487.tif 000006
【図５】
2012002487.tif 000007
【図６】
2012002487.tif 000008
【手続補正書】
【提出日】平成24年5月1日(2012.5.1)
【手続補正１】
【補正対象書類名】特許請求の範囲
【補正対象項目名】全文
【補正方法】変更
【補正の内容】
【特許請求の範囲】
【請求項１】
（削除）
【請求項２】
模型歯と、この模型歯を支持する支持部材と、を備える歯科模型であって、
前記模型歯の少なくとも一つは、歯冠部と、頬舌断面において歯頚部から下方に広がる歯根部と、を有し、
前記支持部材は、前記歯根部が挿入可能な大きさの挿入穴部を有する支持台と、前記歯頚部と前記挿入穴部との隙間を埋める介在部材と、を有し、
前記挿入穴部は、頬舌断面において、頬側又は舌側の一方の面が前記歯頚部から前記歯根部の少なくとも一部に沿い、他方の面が前記一方の面と平行又はそれよりも外方に傾斜する形状を有する歯科模型。
【請求項３】
前記支持部材は、前記介在部材と前記支持台とを固定する固定部材を更に有する請求項２記載の歯科模型。
【請求項４】
前記介在部材は、前記挿入穴部の底面まで延びる請求項２から３いずれか記載の歯科模型。
【請求項５】
前記介在部材は、前記歯頚部から前記歯根部の少なくとも一部に沿う請求項４記載の歯科模型。
【請求項６】
模型歯と、この模型歯を支持する支持部材と、を備える歯科模型であって、
前記模型歯の少なくとも一つは、歯冠部と、頬舌断面において歯頚部から下方に広がる歯根部と、を有し、
前記支持部材は、前記歯根部が挿入可能な大きさの挿入穴部を有する支持台と、前記歯頚部と前記挿入穴部との隙間を埋める介在部材と、を有し、
前記介在部材は、頬舌断面に角度をなす面で分割可能な２以上の分割部材からなる歯科模型。
【請求項７】
前記介在部材は、弾性素材で構成され、前記歯頚部及び前記挿入穴部により弾性収縮された状態で前記隙間を埋める請求項２から６いずれか記載の歯科模型。
【請求項８】
歯冠部と、頬舌断面において歯頚部から下方に広がる歯根部と、を有する模型歯を支持する支持部材の部品として用いられる支持台であって、
前記模型歯が支持される箇所での頬舌断面において、頬側又は舌側の一方の面が内方へと傾斜し、他方の面が前記一方の面と平行又はそれよりも外方に傾斜する挿入穴部を有する支持台。
【請求項９】
（削除）
【請求項１０】
歯科模型に用いられるキットであって、
歯冠部と、頬舌断面において歯頚部から下方に広がる歯根部と、を有する少なくとも一つの模型歯と、
前記歯頚部の一部又は全部に当接する介在部材と、を備え、
前記介在部材は、頬舌断面において、前記歯頚部のうち、頬側又は舌側の一方側を包囲し且つ他方側を露出させるキット。
【請求項１１】
前記介在部材は、前記一方側の前記歯頚部から前記歯根部の少なくとも一部を包囲する請求項１０記載のキット。
【請求項１２】
歯科模型に用いられるキットであって、
歯冠部と、頬舌断面において歯頚部から下方に広がる歯根部と、を有する少なくとも一つの模型歯と、
前記歯頚部の一部又は全部に当接する介在部材と、を備え、
前記介在部材は、頬舌断面に角度をなす面で分割可能な２以上の分割部材からなるキット。
【請求項１３】
前記介在部材は、弾性素材で構成されている請求項１０から１２いずれか記載のキット。
【国際調査報告】
2012002487.tif 000009
2012002487.tif 000010
2012002487.tif 000011